(57)【要約】【課題】  従来の個人情報管理システムでは、情報共有できる保管システムを提供するものの、看護中若しくは介護中の患者の容態に関する情報を、看護を行いながら、若しくは介護を行いながら取得し、閲覧し、さらに内容を把握して活用するための工夫については十分ではなかった。【解決手段】  患者の個人情報を記憶した情報管理装置とネットワークで接続された携帯情報端末及び端末装置から構成される患者容態情報共有システムであって、患者の容態に関する情報を、患者に関する画像情報と共に、関係者が所持する前記情報端末等に出力することによって、患者の容態に関する情報の閲覧、及び内容把握が容易にできるシステムを提供する。【選択図】  図１
2016021117.tif 000002
【特許請求の範囲】
【請求項１】
医療、看護、若しくは介護の現場担当者と、前記現場担当者へ指示を出す指示者との情報共有に用いられる患者容態情報共有システムであって、
端末装置、持ち運び可能な情報取得装置、及び複数の患者に関する個人情報を記憶した記憶装置を有する情報管理装置が、互いに情報の送受信可能なネットワークを構成してなり、
前記情報取得装置は、撮像装置を有しており、
前記情報取得装置、及び前記端末装置は、画像情報の表示が可能な表示部を備え、
前記情報取得装置は、
前記撮像装置で取得した一の患者に関する画像情報及び文字入力欄を有する送信準備画像を表示部に出力する送信準備画像出力手段と、
前記画像情報、及び送信準備画像出力手段による文字入力欄に入力された新規文字情報が含まれる新規取得情報を前記情報管理装置に送信する新規取得情報送信手段とを有し、
前記情報管理装置は、
前記情報取得装置から受信した前記新規取得情報を、前記一の患者に関する個人情報に関連付けられた新規患者容態情報として記憶装置に記憶する新規患者容態情報記憶手段と、
前記新規患者容態情報を前記情報取得装置若しくは前記端末装置に対して求めに応じて送信する新規患者容態情報送信手段とを有し、
前記情報取得装置、及び前記端末装置は、
前記情報管理装置から受信した新規患者容態情報を、前記画像情報、及び前記新規文字情報が互いに近接して配置されてなる新規患者容態情報画像として表示部に出力する新規患者容態情報画像出力手段と、
前記新規患者容態情報を受信したことにより文字入力欄を表示部に出力する追加文字情報入力欄出力手段と、
前記追加文字情報入力欄出力手段による文字入力欄に入力された追加文字情報を前記情報管理装置に送信する追加文字情報送信手段とを有し、
前記情報管理装置は、
前記情報取得装置、若しくは前記端末装置から受信した追加文字情報を、記憶装置に新規患者容態情報が記憶されている場合には当該新規患者容態情報に組み入れて更新患者容態情報として記憶装置に記憶し、記憶装置に前記更新患者容態情報が記憶されている場合には当該更新患者容態情報に組み入れて更新患者容態情報として記憶装置に記憶する更新患者容態情報記憶手段と、
前記新規患者容態情報を前記情報取得装置若しくは前記端末装置に対して求めに応じて送信する更新患者容態情報送信手段とを有し、
前記情報取得装置、及び前記端末装置は、
前記情報管理装置から受信した更新患者容態情報を更新患者容態情報画像として表示部に出力する更新患者容態情報画像出力手段を備え、
前記更新患者容態情報を受信したことにより文字入力欄を表示部に出力する更新文字情報入力欄出力手段と、
前記更新文字情報入力欄出力手段による文字入力欄に入力された追加文字情報を前記情報管理装置に送信する追加文字情報送信手段とを備え、
前記更新患者容態情報画像には、前記画像情報、前記新規文字情報、及び前記追加文字情報が含まれてなると共に、前記新規文字情報、及び前記追加文字情報が情報管理装置に記憶された時間によって時系列に沿って一列に整列して配置され、前記新規文字情報、及び前記追加文字情報は表示部において一体となって前記一列に沿ってスクロール可能に構成されてなること
を特徴とする患者容態情報共有システム。
【発明の詳細な説明】
【技術分野】
【０００１】
本発明は、治療中、看護中若しくは介護中の患者の容態に関する情報の共有に使用される患者容態情報共有システムに関する。
【背景技術】
【０００２】
現在、インターネットの普及により、医療、看護、若しくは介護を行う機関に設置されたパーソナルコンピュータ等の情報入出力装置へ前記機関で取得した患者の個人情報を入力し、入力した前記個人情報をインターネットに接続されたサーバーなどの情報管理装置に保存管理することができる個人情報管理システムが活用されている。前記従来の個人情報管理システムを使用すれば、一の情報入出力装置で入力した個人情報を他の情報入出力装置で閲覧し、さらに個人情報を更新することができるため、前記機関において患者に関わる医師、看護師、若しくは介護士等の複数の関係者が一の患者の個人情報を個別に閲覧して情報を共有することができる。
【先行技術文献】
【特許文献】
【０００３】
【特許文献１】特開２００５−２６７５５１号公報
【発明の概要】
【発明が解決しようとする課題】
【０００４】
しかし、従来の個人情報管理システムでは、情報共有できる保管システムを提供するものの、看護中若しくは介護中の患者の容態に関する情報（以下、患者容態情報という。）を、治療、看護、若しくは介護を行いながら取得し、閲覧し、さらに内容を把握して活用するための工夫については十分ではなかった。
【課題を解決するための手段】
【０００５】
そこで、上記課題を解決する手段として本発明に係る患者容態情報共有システムは、医療、看護、若しくは介護の現場担当者と、前記現場担当者へ指示を出す指示者との情報共有に用いられる患者容態情報共有システムであって、端末装置、持ち運び可能な情報取得装置、及び複数の患者に関する個人情報を記憶した記憶装置を有する情報管理装置が、互いに情報の送受信可能なネットワークを構成してなり、前記情報取得装置は、撮像装置を有しており、前記情報取得装置、及び前記端末装置は、画像情報の表示が可能な表示部を備え、前記情報取得装置は、前記撮像装置で取得した一の患者に関する画像情報及び文字入力欄を有する送信準備画像を表示部に出力する送信準備画像出力手段と、前記画像情報、及び送信準備画像出力手段による文字入力欄に入力された新規文字情報が含まれる新規取得情報を前記情報管理装置に送信する新規取得情報送信手段とを有し、前記情報管理装置は、前記情報取得装置から受信した前記新規取得情報を、前記一の患者に関する個人情報に関連付けられた新規患者容態情報として記憶装置に記憶する新規患者容態情報記憶手段と、前記新規患者容態情報を前記情報取得装置若しくは前記端末装置に対して求めに応じて送信する新規患者容態情報送信手段とを有し、前記情報取得装置、及び前記端末装置は、前記情報管理装置から受信した新規患者容態情報を、前記画像情報、及び前記新規文字情報が互いに近接して配置されてなる新規患者容態情報画像として表示部に出力する新規患者容態情報画像出力手段と、前記新規患者容態情報を受信したことにより文字入力欄を表示部に出力する追加文字情報入力欄出力手段と、前記追加文字情報入力欄出力手段による文字入力欄に入力された追加文字情報を前記情報管理装置に送信する追加文字情報送信手段とを有し、前記情報管理装置は、前記情報取得装置、若しくは前記端末装置から受信した追加文字情報を、記憶装置に新規患者容態情報が記憶されている場合には当該新規患者容態情報に組み入れて更新患者容態情報として記憶装置に記憶し、記憶装置に前記更新患者容態情報が記憶されている場合には当該更新患者容態情報に組み入れて更新患者容態情報として記憶装置に記憶する更新患者容態情報記憶手段と、前記新規患者容態情報を前記情報取得装置若しくは前記端末装置に対して求めに応じて送信する更新患者容態情報送信手段とを有し、前記情報取得装置、及び前記端末装置は、前記情報管理装置から受信した更新患者容態情報を更新患者容態情報画像として表示部に出力する更新患者容態情報画像出力手段を備え、前記更新患者容態情報を受信したことにより文字入力欄を表示部に出力する更新文字情報入力欄出力手段と、前記更新文字情報入力欄出力手段による文字入力欄に入力された追加文字情報を前記情報管理装置に送信する追加文字情報送信手段とを備え、前記更新患者容態情報画像には、前記画像情報、前記新規文字情報、及び前記追加文字情報が含まれてなると共に、前記新規文字情報、及び前記追加文字情報が情報管理装置に記憶された時間によって時系列に沿って一列に整列して配置され、前記新規文字情報、及び前記追加文字情報は表示部において一体となって前記一列に沿ってスクロール可能に構成されてなることを特徴とする。
【０００６】
医療、看護若しくは介護の現場担当者は、医師、看護師若しくは介護士であることが望ましいが、介護福祉士、ヘルパー、ボランティア、若しくは患者家族等、患者の容態を観察しながら治療、看護、若しくは介護をすることができる者であればよい。
【０００７】
前記現場担当者へ指示を出す指示者は、現場担当者からの報告を受けて指示を出すことができる者であり、医師、看護師、介護士、薬剤師、患者家族等である。指示者は現場担当者と指示者は、互いに直接会話することができない離隔した場所、で作業を行う者である。指示者が所在する場所としては、例えば病院、診療所、介護福祉施設であることが好ましい。
【０００８】
情報管理装置はＣＰＵ（中央処理装置）を有し、該ＣＰＵに接続された記憶装置を備えたサーバーであることが好ましい。また端末装置は、ＣＰＵを有し、該ＣＰＵに接続された記憶装置、表示部、及びキーボードを備えた据置型のパーソナルコンピュータであることが好ましい。また情報取得装置は持ち運び可能な携帯型情報端末であり、ＣＰＵを有し、該ＣＰＵに接続された記憶装置、撮像装置、及び表示部を備えていることが好ましい。なお、前記情報管理装置、端末装置、及び情報取得装置が互いに接続されてなるネットワークは、互いに情報の送受信が可能であるインターネットであってもよいが、本発明に係る前記情報管理装置、端末装置、及び情報取得装置のみが接続され、インターネットからのアクセスを遮断したイントラネットであっても好ましい。イントラネットとすることで、個人情報のインターネットへの流出の恐れを抑止することができるからである。
【０００９】
記憶装置は、端末装置、若しくは情報取得装置で入力された情報を記憶、保存することができるものであり、例えばハードディスク若しくはフラッシュメモリであることが好ましい。
【００１０】
情報管理装置の記憶装置に記憶される個人情報は、現場担当者が担当する患者の氏名、住所、及び病歴等、当該患者を特定することができる情報を予め聞き取りし、情報管理装置の記憶装置に記憶させたものである。
【００１１】
表示部は、液晶ディスプレイ、若しくはタッチパネルといわれる画像表示装置であることが好ましい。タッチパネルは、表示部の表面の一部を指若しくはペン型操作器具で触れることによって、表示部に表示された表示画像に対して特定の情報処理を行うための操作することができるものである。前記特定の情報処理としては、画像の切替処理や文字入力欄への文字の入力処理が挙げられる。接触感知機能としては、圧力感知もしくは静電容量感知によるものを用いることができる。タッチパネルは、特に情報取得装置に用いることが好ましい。
【００１２】
撮像装置は、カメラレンズを装着してなる情報取得装置に内蔵型のデジタルカメラであることが好ましい。撮像装置は、取り込んだ外部映像を情報取得装置の表示部に映し出すことができる。求める映像が映し出された状態で、使用者が撮影ボタンを押すことなどして撮像装置に対して指示を与えると、その時表示部に表示されていた映像を画像情報として取り込むことができるものである。
【００１３】
文字入力欄に入力された新規文字情報及び追加文字情報は、テキストデータとして情報管理装置に送信されると共に、記憶される情報である。
【発明の効果】
【００１４】
本発明によれば、治療、看護、若しくは介護を行いながらであっても患者容態情報を取得でき、情報管理装置を介して現場担当者と指示者との間で患者容態情報を容易に共有することができる。
【００１５】
患者容態情報には撮像装置で取得した画像情報が含まれるため、配置された文字情報の列が長大となったとしても患者のどのような容態に関するものであるかを容易に把握することができる。
【００１６】
また、本発明に係る患者容態情報は、画像情報及び時系列に沿って配置された文字情報からなることによって、患者の現在の容態に関する情報を即座に把握することができる。
【００１７】
さらに、追加文字情報入力欄に入力した追加文字情報からなる指示事項も、更新患者容態情報に時系列に沿って組み込まれるため、複数の追加文字情報が含まれる更新患者容態情報を閲覧する際にも最新の情報を容易に把握することができる。
【００１８】
新規文字情報及び追加文字情報からなる列は表示部上で一体にスクロールさせることができるため、追加文字情報が多数追加されても情報の閲覧が容易である。
【図面の簡単な説明】
【００１９】
【図１】患者容態情報共有システム１の概要を示すブロック図である。
【図２】患者容態情報共有システム１の概要を示すブロック図である。
【図３】記憶メモリ３に記憶された個人情報２７及び新規患者容態情報４９の概要を示すブロック図である。
【図４】記憶メモリ３に記憶された個人情報２７及び更新患者容態情報６２の概要を示すブロック図である。
【図５】アクセス許可画像３１の概略を示す図である。
【図６】患者選択画像３２の概略を示す図である。
【図７】患者２２の主要画像３４の概略を示す図である。
【図８】画像取得機能実行画像３６の概略を示す図である。
【図９】送信準備画像４２の概略を示す図である。
【図１０】患者容態情報一覧画像５１の概略を示す図である。
【図１１】新規患者容態情報画像５４の概略を示す図である。
【図１２】更新患者容態情報画像６５の概略を示す図である。
【図１３】画像情報３７を取得してから新規患者容態情報４９、及び更新患者容態情報６２を出力するまでの一連の動作の概要を示すフロー図である。
【発明を実施するための形態】
【００２０】
以下、本発明に係る実施の形態を、図を参照しながら詳しく説明する。
【００２１】
図１及び図２は、本発明に係る患者容態情報共有システム１の概要を示すブロック図である。本実施の形態において、図２に示すように情報管理装置はＣＰＵ２（中央処理装置）を有し、該ＣＰＵ２に接続された記憶メモリ３を備えたサーバー４である。また端末装置は据置型のパーソナルコンピュータであり、ＣＰＵ５を有し、該ＣＰＵ５に接続された記憶メモリ６、ディスプレイ７、及びキーボード８を備えたＰＣ９である。また第一の情報取得装置は、ＣＰＵ１０を有し、該ＣＰＵ１０に接続された記憶メモリ１１、撮像装置１２、及びタッチパネル１３を備えた携帯型情報端末１４である。また第二の情報取得装置は、ＣＰＵ１５を有し、該ＣＰＵ１５に接続された記憶メモリ１６、撮像装置１７、及びタッチパネル１８を備えた携帯型情報端末１９である。なお、前記サーバー４、ＰＣ９、及び携帯型情報端末１４，１９は、ネットワーク２０に接続されており、互いに情報の送受信が可能である。なお、携帯型情報端末１４及び携帯型情報端末１９は使用者が携帯可能な機器であり、同一の機能を有する。
【００２２】
また、図１に示すように、看護師２１は携帯型情報端末１９を携帯して自宅看護を受けている患者２２の自宅２３で看護作業をしながら使用することができる。医師２５、及び２６は、自宅２３から離隔した場所にある中央指示機関２４において、看護師２１へ指示を出す。医師２５はＰＣ９を使用し、同じく看護師２１に指示を出す医師２６は携帯型情報端末１４を携帯して使用する。本実施の形態において中央指示機関２４は例えば医師が勤務している病院であることが好ましい。
【００２３】
患者容態情報共有システム１の使用にあたり、医師２５は患者２２から氏名、住所、及び病歴等の患者２２を特定できる個人情報２７を聞き取りし、当該個人情報２７をキーボード８からＰＣ９へ入力する。入力された患者２２に関する個人情報２７は、図３に示すようにＰＣ９からネットワーク２０を介してサーバー４に送信されると共に、記憶メモリ３に記憶される。なお、記憶メモリ３には他の複数の患者に関する個人情報も記憶されてなる。
【００２４】
個人情報へのアクセスは、個人情報の流出防止を図るため、ＩＤ及びパスワードによって保護されていることが好ましい。さらに患者容態情報共有システム１は、使用者がサーバー４に対してＩＤ２８及びパスワード２９を入力し、個人情報２７へのアクセス可能な状態とすることによって使用できるものであることが好ましい。
【００２５】
次に、看護師２１は、患者２２の自宅２３で携帯型情報端末１９を操作して患者容態情報共有システム１を立ち上げ、図５のアクセス許可画像３０においてＩＤ２８及びパスワード２９を入力してサーバー４にアクセス許可要求を送信する。サーバー４は、ＣＰＵ２が携帯型情報端末１９から送信されたＩＤ２８及びパスワード２９がサーバー４において記憶されているものと一致を確認する（アクセス確認手段３１という。）と、図６に示すように、記憶メモリ３に個人情報が記憶されている患者が列挙されてなる患者選択画像３２をタッチパネル１８に出力する。
【００２６】
看護師２１が、患者選択画像３２において列挙された患者の内の一の患者である患者２２をタッチパネル１８上で選択すると、図７に示すように患者２２の氏名及び画像取得機能起動ボタン３３が近接して配置された主要画像３４がタッチパネル１８に出力される。なお、患者２２の氏名は患者２２の顔写真と共に表示されても好ましく、この場合画像取得機能起動ボタン３３は患者２２の顔写真と近接して配置されていてもよい。画像取得機能起動ボタン３３が患者２２の氏名若しくは顔写真と近接して配置されることで、タッチパネル１８に出力された主要画像３４が患者２２に関するものであることを確認後すぐに画像取得機能起動ボタン３３を押して画像情報３７の取得にむけた動作に移ることができるからである。
【００２７】
なお本実施の形態において、患者２２の主要画像３３が表示されると、その後患者選択画像３２に戻るまでの間において携帯型情報端末１９からサーバー４に送信されて記憶メモリ３に保存された情報は患者２２の個人情報２７と関連付けられて保存される。
【００２８】
前記画像取得機能起動ボタン３３をタッチパネル１８上で選択すると、図８に示すように撮像装置１７を起動させる撮像装置起動ボタン３５ａが配置されてなる画像取得機能実行画像３６がタッチパネル１８に出力される。看護師２１が撮像装置起動ボタン３５ａを選択すると撮像装置１７が起動する。本実施の形態において、撮像装置１７は図１に示すような携帯型情報端末１９の裏面１９ｂにカメラレンズを装着してなる内蔵型のデジタルカメラであり、レンズから取り込んだ映像を携帯型情報端末１９の表面１９ａに設けられたタッチパネル１８に映し出すことができ、求める映像が映し出された状態で使用者が図示しない撮影ボタンを押すと撮影その時タッチパネルに表示されていた映像を画像情報３７として取り込み、記憶メモリ１６に記憶させることができるものである。
【００２９】
看護師２１は、患者２２で介護作業をしながら患者２２の体全体写真、特定の患部、若しくは必要書類等を撮像装置１７で撮影し、画像情報３７を取得する。携帯型情報端末１９は、ＣＰＵ１５が画像情報３７を取得したと判断すると、送信準備画像出力手段３８によって図９に示すような画像情報３７、文字入力欄３９、カテゴリ選択欄４０及び送信ボタン４１が配置された送信準備画像４２をタッチパネル１８に表示する。
【００３０】
なお、画像取得機能実行画像３６には撮像装置起動ボタン３５ａと共に保存画像選択ボタン３５ｂが配置されていても好ましい。保存画像選択ボタン３５ｂを選択すると、携帯型情報端末１９の記憶メモリ１６に予め保存されていた画像情報を選択することができる。保存画像選択ボタン３５ｂから当該画像情報を選択すると、画像情報３７と同様に送信準備画像４２に表示され、予め撮影だけ行っておいた画像情報を送信することができる。これにより、患者容態情報共有システム１が立ち上がっている時に必ず撮影作業を行う必要がない。
【００３１】
看護師２１は、文字入力欄３９に画像情報３７に関する患者２２の状態等についての新規文字情報４３を入力し、カテゴリ選択欄４０から一のカテゴリ４５を選択すると、送信ボタン４１を押す。送信ボタン４１が押された携帯型情報端末１９は、新規取得情報送信手段４５によって、画像情報３７、新規文字情報４３、及び一のカテゴリ４５を含む新規取得情報４７をサーバー４に送信する。
【００３２】
サーバー４は、新規患者容態情報記憶手段４８によって、取得した新規取得情報４７を作成時刻情報４６と共に個人情報２７に関連付けて図３に示すように新規患者容態情報４９として記憶メモリ３に記憶する。なお、作成時刻情報４６はサーバー４に新規取得情報４７が記憶された時刻であることが好ましいが、新規取得情報４７をサーバー４が受信した時刻でもよい。
【００３３】
次に、中央指示機関２４に所在する医師２６は、前記携帯型情報端末１９の場合と同様に携帯型情報端末１４にＩＤ２８及びパスワード２９を入力して表示された患者選択画像３２から患者２２を選択すると、前記主要画像３４がタッチパネル１３に表示される。主要画像３４には、画像取得機能起動ボタン３３の下に複数のカテゴリが列挙されたカテゴリ一覧５０が配置されており、個々のカテゴリを選択することができる。
【００３４】
医師２６が、カテゴリ一覧５０から一のカテゴリ４５を選択すると図１０に示す患者容態情報一覧画像５１が表示される。患者容態情報一覧画像５１には前記新規患者容態情報４９と関連付けられた選択ボタン５２が表示されている。医師２６が選択ボタン５２を選択すると、携帯型情報端末１４はサーバー４に新規患者容態情報４９を要求する。サーバー４は携帯型情報端末１４からの要求を受けて、新規患者容態情報送信手段５２によって携帯型情報端末１４に新規患者容態情報４９を送信する。
【００３５】
携帯型情報端末１４は、受信した新規患者容態情報４９を、新規患者容態情報画像出力手段５３により、図１１に示すように画像情報３７及び新規文字情報４３が互いに近接して配置された新規患者容態情報画像５４としてタッチパネル１３に出力する。
【００３６】
医師２６は、タッチパネル１３に出力された新規患者容態情報画像５４から、画像情報３７を参照しながら新規文字情報４３を読むことで、患者２２の状態等について素早く理解することができる。
【００３７】
また、新規患者容態情報画像５４には、追加文字情報入力欄出力手段５５によって文字入力欄５６が合わせて表示されており、医師２６は新規文字情報４３に対する対応の内容の追加文字情報５７を文字入力欄５６に入力することができる。なお、文字入力欄５６は、画像情報３７、及び新規文字情報４３と一列となるように配列されてなることが好ましい。
【００３８】
医師２６は、文字入力欄５６に追加文字情報５７を入力後、文字入力欄５６に近接して配置されてなる送信ボタン５８を押す。送信ボタン５８が押された携帯型情報端末１４は、追加文字情報送信手段５９によって、追加文字情報５７をサーバー４に送信する。
【００３９】
なお、サーバー４の個人情報２７にアクセスし、新規患者容態情報画像出力手段５３、追加文字情報入力欄出力手段５５、及び追加文字情報送信手段５９を機能させることはＰＣ９においても携帯型情報端末１４と同様に行うことができる。
【００４０】
サーバー４は、更新患者容態情報記憶手段６１によって、受信した追加文字情報５７を、カテゴリ情報４５と共に作成時刻情報６０を個人情報２７に関連付けて図４に示すように更新患者容態情報６２として記憶メモリ３に記憶する。なお、作成時刻情報６０はサーバー４に追加文字情報５７が記憶された時刻であることが好ましいが、追加文字情報５７をサーバー４が受信した時刻でもよい。
【００４１】
この際、更新患者容態情報記憶手段６１は、追加文字情報５７を受信した際に記憶メモリ３に記憶されている情報が新規患者容態情報４９である場合には、追加文字情報５７を当該新規患者容態情報４９に組み入れて更新患者容態情報６２として保存する。一方、記憶メモリ３に記憶されている情報が既に以前の追加文字情報５７が組み入れられてなる更新患者容態情報６２である場合には、図４に示すように、新しく記憶する追加文字情報５７を、既に記憶されている追加文字情報５７と区別して出力できる態様で当該更新患者容態情報６２に新たに組み入れて更新患者容態情報６２として保存する。前記新しく記憶する追加文字情報５７と既に記憶されている追加文字情報５７との区別は前記作成時刻情報６０によって区別することが好ましい。
【００４２】
次に、患者２２の自宅２３に所在する看護師２１が、医師２６が操作した場合と同様に前記主要画像３４から患者容態情報一覧画像５１へ進むと、前記選択ボタン５２が更新患者容態情報６２と関連付けられて表示される。看護師２１が選択ボタン５２を選択すると、携帯型情報端末１９はサーバー４に更新患者容態情報６２を要求する。サーバー４は携帯型情報端末１９からの要求を受けて、更新患者容態情報送信手段６３によって携帯型情報端末１９に更新患者容態情報６２を送信する。
【００４３】
携帯型情報端末１９は、受信した更新患者容態情報６２を、更新患者容態情報画像出力手段６４によって、更新患者容態情報画像６５としてタッチパネル１８に出力する。更新患者容態情報画像６５には、画像情報３７、前記新規文字情報４３、及び前記追加文字情報５７が表示されてなる。図１２に示すように、画像情報３７は更新患者容態情報画像６５の上端に表示され、新規文字情報４３が画像情報３７の下に隣接して表示され、追加文字情報５７は新規文字情報４３の下に隣接して表示されている。追加文字情報５７がさらに複数追加されている場合には、サーバー４に記憶された時間によって区分された各追加文字情報５７が時系列に沿って一列に下方向に向かって整列して配置されている。前記新規文字情報４３、及び前記追加文字情報５７はタッチパネル１８において一体となって前記一列に沿って矢印Ａの方向にスクロール可能に構成されてなる。
【００４４】
看護師２１は、タッチパネル１８に出力された更新患者容態情報画像６５から、医師２６が看護師２１から送信した患者２２の状態についての新規文字情報４３に対する対応方法を、画像情報３７を参照しながら追加文字情報５７を読むことで素早く理解することができる。
【００４５】
また、更新患者容態情報画像６５には、追加文字情報入力欄出力手段５５によって文字入力欄５６が合わせて表示されており、看護師２１は医師６からの指示に対する応答に関する追加文字情報５７を文字入力欄５６に入力することができる。なお、文字入力欄５６は、画像情報３７、新規文字情報４３、及び追加文字情報５７と一列となるように配列されてなることが好ましい。
【００４６】
看護師２１は、さらに追加文字情報５７を更新患者容態情報６２に組み入れて追加する場合には、文字入力欄５６に追加文字情報５７を入力後、文字入力欄５６に近接して配置されてなる送信ボタン５８を押す。送信ボタン５８が押された携帯型情報端末１４は、追加文字情報送信手段５９によって、追加文字情報５７をサーバー４に送信する。看護師２１が追加文字情報５７を追加しない場合には、患者選択画像３２まで戻り、患者容態情報共有システム１を終了することができる。
【００４７】
なお画像情報３７を取得してから新規患者容態情報４９、及び更新患者容態情報６２を出力するまでの一連の動作の概要は図１３のフロー図に示すとおりである。
【００４８】
看護師２１及び医師２６は、それぞれの携帯型情報端末１９、１４から追加文字情報５７を更新患者容態情報６２に追加することができ、追加された追加文字情報５７は、新規文字情報４３と共に時系列に沿って一列に配列されて表示されため、患者２２の状態と対応方法の把握を迷うことなく素早く把握することができる。また、一列に配列された新規文字情報４３及び追加文字情報５７は一体となって前記一列に沿ってスクロール可能であるため、多数の追加文字情報５７が配列された場合であっても、例えばタッチパネル上を一方向になぞるだけの単純な操作で一連の新規文字情報４３及び追加文字情報５７を容易に確認することができる。
【符号の説明】
【００４９】
１    患者容態情報共有システム
４    サーバー
９    ＰＣ
１３  タッチパネル
１４  携帯型情報端末
１７  撮像装置
１８  タッチパネル
１９  携帯型情報端末
２０  ネットワーク
２１  看護師
２２  患者
２３  自宅
２４  中央指示機関
２５  医師
２６  医師
２７  個人情報
３７  画像情報
３８  送信準備画像出力手段
３９  文字入力欄
４３  新規文字情報
４７  新規取得情報
４９  新規患者容態情報
５６  文字入力欄
５７  追加文字情報
６２  更新患者容態情報
【図１】
2016021117.tif 000003
【図２】
2016021117.tif 000004
【図３】
2016021117.tif 000005
【図４】
2016021117.tif 000006
【図５】
2016021117.tif 000007
【図６】
2016021117.tif 000008
【図７】
2016021117.tif 000009
【図８】
2016021117.tif 000010
【図９】
2016021117.tif 000011
【図１０】
2016021117.tif 000012
【図１１】
2016021117.tif 000013
【図１２】
2016021117.tif 000014
【図１３】
2016021117.tif 000015